(57)【要約】      （修正有）【課題】複数のデッキプレートスラブを互いにスムーズに接合させることができるデッキプレートスラブ、及びデッキプレートスラブの接合方法を提供する。【解決手段】デッキプレートスラブ１は、デッキプレートと、デッキプレートの一面に面して設けられたスラブ３と、スラブの内部におけるデッキプレートに面する下面と反対側の面である上面側に配筋される鉄筋４，７と、を備え、スラブには、スラブの上面３２、及びデッキプレートスラブの一端側に位置するスラブの一端面３３に開口を有するスリット部３５が形成され、鉄筋は、鉄筋の一端側がスリット部内に位置し、鉄筋の他端側がスラブの他端面から突出するように、スラブの内部に配筋される。【選択図】図１Ｂ
2019108770.tif 000002
【特許請求の範囲】
【請求項１】
デッキプレートと、
前記デッキプレートの一面に面して設けられたスラブと、
前記スラブの内部における前記デッキプレートの一面に面する下面と反対側の面である上面側に配筋される鉄筋と、を備えるデッキプレートスラブであって、
前記スラブには、前記スラブの前記上面、及び前記デッキプレートスラブの一端側に位置する前記スラブの一端面に開口を有するスリット部が形成され、
前記鉄筋は、前記鉄筋の一端側が前記スリット部内に位置し、前記鉄筋の他端側が前記スラブの他端面から突出するように、前記スラブの内部に配筋される、
デッキプレートスラブ。
【請求項２】
前記デッキプレートは、
本体部と、
前記デッキプレートスラブの一端側に位置する前記本体部の一端側から突出する係合部と、
前記本体部の他端側から突出し、前記係合部に係合可能に構成される被係合部と、を含む、
請求項１に記載のデッキプレートスラブ。
【請求項３】
前記スラブの内部における上面側に、前記鉄筋と直交するように配筋される直交鉄筋をさらに備え、
前記直交鉄筋の少なくとも１つは、前記スリット部を通る請求項１又は２に記載のデッキプレートスラブ。
【請求項４】
請求項１から３の何れか１項に記載のデッキプレートスラブであって、第１デッキプレートスラブおよび第２デッキプレートスラブを含む複数のデッキプレートスラブを準備する準備ステップと、
前記第１デッキプレートスラブの前記スリット部の内部において、前記第１デッキプレートスラブの前記鉄筋と前記第２デッキプレートスラブの前記鉄筋とが部分的に重なり合うように、前記第１デッキプレートスラブの上方から前記第１デッキプレートスラブに向かって前記第２デッキプレートスラブを降下させる降下ステップと、
前記降下ステップの後に、前記第１デッキプレートスラブの前記スリット部の内部に充填材を充填する充填ステップと、を備えるデッキプレートスラブの接合方法。
【請求項５】
前記デッキプレートは、
本体部と、
前記デッキプレートスラブの一端側に位置する前記本体部の一端側から突出する係合部と、
前記本体部の他端側から突出し、前記係合部に係合可能に構成される被係合部と、を含み、
前記降下ステップによって前記第１デッキプレートスラブの上方から前記第１デッキプレートスラブに向かって前記第２デッキプレートスラブを降下させた場合に、前記第２デッキプレートスラブの前記被係合部は前記第１デッキプレートスラブの前記係合部に係合されるように構成される請求項４に記載のデッキプレートスラブの接合方法。
【発明の詳細な説明】
【技術分野】
【０００１】
本開示は、デッキプレートを用いたスラブであるデッキプレートスラブ、デッキプレートスラブの接合方法に関する。
【背景技術】
【０００２】
従来、床部材（床版）のようなスラブを工場などで予め複数作成し、現場で複数の床部材を互いに接合させるプレキャスト工法が知られている。例えば、特許文献１には、床部材は一方の端面から突出する接合鉄筋を備え、他方の端面には孔が形成される。そして、一方の床部材の孔に他方の床部材の接合鉄筋を挿入することで、複数の床部材を互いに接合させる技術が開示されている。また、特許文献２には、床部材は、表面及び一方の端面に開口する切欠き部と、他方の端面から突出する接合鉄筋と、を備えている。そして、一方の床部材の切欠き部に他方の床部材の接合鉄筋を落とし込むことで、複数の床部材を互いに接合させる技術が開示されている。
【先行技術文献】
【特許文献】
【０００３】
【特許文献１】特開２００９−６８２３６号公報
【特許文献２】特開２００９−６８２３７号公報
【発明の概要】
【発明が解決しようとする課題】
【０００４】
しかしながら、特許文献１に開示された技術では、複数の床部材を互いに接合させるためには、他方の床部材の端面から突出する接合鉄筋を一方の床部材の端面に形成された孔に挿入する必要がある。このため、他方の床部材を横方向に移動させる必要があり、非常に時間がかかってしまうという問題がある。
【０００５】
また、床部材は、床部材を上側に引っ張るように湾曲させようとする曲げモーメント、及び床部材を下側に引っ張るように湾曲させようとする曲げモーメントの両方に対して十分な強度を有する必要がある。このため、床部材のスラブの内部には上端筋と下端筋とが配筋されている場合が多い。特許文献２に開示された技術では、一方の床部材の切欠き部に他方の床部材の接合鉄筋を落とし込む際に、他方の床部材に配筋される下端筋が一方の床部材に干渉してしまい、複数の床部材を互いに接合させることができない虞がある。
【０００６】
本発明の少なくとも幾つかの実施形態は上述の問題や虞に鑑みなされたものであり、複数のデッキプレートスラブを互いにスムーズに接合させることができるデッキプレートスラブ、及びデッキプレートスラブの接合方法を提供することを目的とする。
【課題を解決するための手段】
【０００７】
（１）本発明の少なくとも一実施形態に係るデッキプレートスラブは、デッキプレートと、前記デッキプレートの一面に面して設けられたスラブと、前記スラブの内部における前記デッキプレートの一面に面する下面と反対側の面である上面側に配筋される鉄筋と、を備えるデッキプレートスラブであって、前記スラブには、前記スラブの前記上面、及び前記デッキプレートスラブの一端側に位置する前記スラブの一端面に開口を有するスリット部が形成され、前記鉄筋は、前記鉄筋の一端側が前記スリット部内に位置し、前記鉄筋の他端側が前記スラブの他端面から突出するように、前記スラブの内部に配筋される。
【０００８】
上記（１）の構成によれば、スラブはデッキプレートの一面に面して設けられ、鉄筋はスラブの内部におけるデッキプレートの一面に面する下面と反対側の面である上面側に配筋される。つまり、デッキプレートはデッキプレートスラブにおけるスラブを下側に引っ張るように湾曲させようとする曲げモーメントに対して対抗する。鉄筋はデッキプレートスラブにおけるスラブを上側に引っ張るように湾曲させようとする曲げモーメントに対して対抗する。そして、スラブにはスラブの上面、及びスラブの一端面に開口を有するスリット部が形成されている。そして、鉄筋は鉄筋の一端側がスリット部内に位置し、鉄筋の他端側がスラブの他端面から突出するように、スラブの内部に配筋される。
【０００９】
このため、このようなデッキプレートスラブを複数（例えば、第１デッキプレートスラブおよび第２デッキプレートスラブの２つ）準備して互いに接合させる際に、第１デッキプレートスラブのスリット部に、第２デッキプレートスラブの他端面から突出する鉄筋を落とし込むことができる。また、デッキプレートを用いているため、第２デッキプレートスラブのデッキプレートが第１デッキプレートスラブに干渉してしまう虞はない。このように、複数のデッキプレートスラブを互いにスムーズに接合させることができる。
【００１０】
（２）幾つかの実施形態では、上記（１）に記載の構成において、前記デッキプレートは、本体部と、前記デッキプレートスラブの一端側に位置する前記本体部の一端側から突出する係合部と、前記本体部の他端側から突出し、前記係合部に係合可能に構成される被係合部と、を含む。
【００１１】
上記（２）の構成によれば、デッキプレートスラブを複数（例えば、第１デッキプレートスラブおよび第２デッキプレートスラブの２つ）準備して互いに接合させると、第２デッキプレートスラブのデッキプレートの被係合部が第１デッキプレートスラブのデッキプレートの係合部によって係合され、第１デッキプレートスラブのデッキプレートと第２デッキプレートスラブのデッキプレートとを互いにつなぎ合わせることができる。
【００１２】
（３）幾つかの実施形態では、上記（１）又は（２）の何れか１つに記載の構成において、前記スラブの内部における上面側に、前記鉄筋と直交するように配筋される直交鉄筋をさらに備え、前記直交鉄筋の少なくとも１つは、前記スリット部を通る。
【００１３】
上記（３）の構成によれば、デッキプレートスラブを複数（例えば、第１デッキプレートスラブおよび第２デッキプレートスラブの２つ）準備して互いに接合させると、第１デッキプレートスラブのスリット部において、第１デッキプレートスラブの鉄筋、第１デッキプレートスラブのスリット部を通る少なくとも１つの直交鉄筋、及び第２デッキプレートスラブの鉄筋を互いに固定させることができる。このように、複数のデッキプレートスラブを互いに接合させた部分（第１デッキプレートスラブのスリット部）には、直交鉄筋（配力筋）を配筋することができるので、接合部分の強度を高めることができる。
【００１４】
（４）幾つかの実施形態では、上記（１）〜（３）の何れか１つに記載のデッキプレートスラブの接合方法であって、第１デッキプレートスラブおよび第２デッキプレートスラブを含む複数のデッキプレートスラブを準備する準備ステップと、前記第１デッキプレートスラブの前記スリット部の内部において、前記第１デッキプレートスラブの前記鉄筋と前記第２デッキプレートスラブの前記鉄筋とが部分的に重なり合うように、前記第１デッキプレートスラブの上方から前記第１デッキプレートスラブに向かって前記第２デッキプレートスラブを降下させる降下ステップと、前記降下ステップの後に、前記第１デッキプレートスラブの前記スリット部の内部に充填材を充填する充填ステップと、を備える。
【００１５】
上記（４）の方法によれば、第１デッキプレートスラブのスリット部の内部において、第１デッキプレートスラブの鉄筋と第２デッキプレートスラブの鉄筋とが部分的に重なり合うように、第１デッキプレートスラブの上方から第１デッキプレートスラブに向かって第２デッキプレートスラブを降下させる。このため、特許文献１のように、第１デッキプレートスラブと第２デッキプレートスラブとを互いに接合させる際に第２デッキプレートスラブを横方向に移動させないので、第１デッキプレートスラブと第２デッキプレートスラブとを互いにスムーズに接合させることができる。
【００１６】
（５）幾つかの実施形態では、上記（４）に記載の方法において、前記デッキプレートは、本体部と、前記デッキプレートスラブの一端側に位置する前記本体部の一端側から突出する係合部と、前記本体部の他端側から突出し、前記係合部に係合可能に構成される被係合部と、を含み、前記降下ステップによって前記第１デッキプレートスラブの上方から前記第１デッキプレートスラブに向かって前記第２デッキプレートスラブを降下させた場合に、前記第２デッキプレートスラブの前記被係合部は前記第１デッキプレートスラブの前記係合部に係合されるように構成される。
【００１７】
上記（５）の方法によれば、降下ステップを実行すると、第２デッキプレートスラブのデッキプレートの被係合部が第１デッキプレートスラブのデッキプレートの係合部によって係合され、第１デッキプレートスラブのデッキプレートと第２デッキプレートスラブのデッキプレートとを互いにつなぎ合わせることができる。
【発明の効果】
【００１８】
本発明の少なくとも一実施形態によれば、複数のデッキプレートスラブを互いにスムーズに接合させることができるデッキプレートスラブ、及びデッキプレートスラブの接合方法を提供することができる。
【図面の簡単な説明】
【００１９】
【図１Ａ】本発明の一実施形態に係るデッキプレートスラブの正面図である。
【図１Ｂ】本発明の一実施形態に係るデッキプレートスラブの平面図である。
【図２】本発明の一実施形態に係るデッキプレートの正面図である。
【図３】本発明の一実施形態に係るデッキプレートスラブの接合方法のフローチャートである。
【図４Ａ】本発明の一実施形態に係る準備ステップで準備するデッキプレートスラブを示す図である。
【図４Ｂ】本発明の一実施形態に係る降下ステップを説明するための説明図である。
【図４Ｃ】本発明の一実施形態に係る充填ステップを説明するための説明図である。
【図５】本発明の一実施形態に係るＰＣ床の設置方法のフローチャートである。
【図６】本発明の一実施形態に係るＰＣ床設置ステップを説明するための説明図である。
【図７】本発明の一実施形態に係るデッキプレートスラブの構成を示す構成図である。
【発明を実施するための形態】
【００２０】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２１】
図１Ａは、本発明の一実施形態に係るデッキプレートスラブの正面図である。図１Ｂは、本発明の一実施形態に係るデッキプレートスラブの平面図である。図２は、本発明の一実施形態に係るデッキプレートの正面図である。
【００２２】
図１Ａ及び図１Ｂに示すように、本発明の一実施形態に係るデッキプレートスラブ１は、デッキプレート２と、デッキプレート２の一面２ａに面して設けられたスラブ３と、スラブ３の内部におけるデッキプレート２に面する下面３１と反対側の面である上面３２側に配筋される鉄筋４と、を備える。
【００２３】
デッキプレート２は、例えば金属より構成される部材である。図示した実施形態では、デッキプレート２は、正面視した際（図１Ａ）に、角波形状を有するように構成されている。スラブ３は、例えば、デッキプレート２にコンクリート３６を打設することで、デッキプレート２の一面２ａに面して設けられる床スラブである。尚、スラブ３は屋根スラブであってもよい。
【００２４】
図１Ａ及び図１Ｂに示すように、スラブ３には、スラブ３の上面３２、及びデッキプレートスラブ１の一端側に位置するスラブ３の一端面３３に開口を有するスリット部３５が形成される。図示した実施形態では、スラブ３は、平面視した際（図１Ｂ）に、スラブ３の上面３２が略矩形状を有するように、デッキプレート２の一面２ａに面して設けられている。そして、スラブ３には、この上面３２、及びスラブ３の上面３２の短手方向一方側（デッキプレートスラブ１の一端側）に位置するスラブ３の一端面３３に開口を有するスリット部３５が複数形成されている。これら複数のスリット部３５は、スラブ３の上面３２の長手方向において、互いに等間隔となるように形成されている。尚、スラブ３の上面３２は正方形状を有するようにデッキプレート２に面して設けられてもよい。また、スラブ３は、スラブ３の一端面３３と他端面３４とが互いに平行となるように、デッキプレート２の一面２ａに面して設けられる。
【００２５】
ここからは、デッキプレートスラブ１の一端側から他端側に向かう方向、又はデッキプレートスラブ１の他端側から一端側に向かう方向は、スラブ３の上面３２の短手方向と同じ方向として説明する。幾つかの実施形態では、デッキプレートスラブ１の一端側から他端側に向かう方向、又はデッキプレートスラブ１の他端側から一端側に向かう方向は、スラブ３の上面３２の長手方向と同じ方向であってもよい。
【００２６】
また、図１Ａ及び図１Ｂに示すように、鉄筋４は、鉄筋４の一端側がスリット部３５内に位置し、鉄筋４の他端側がスラブ３の他端面３４から突出するように、スラブ３の内部に配筋される。図示した実施形態では、鉄筋４の一端側の先端４１がスリット部３５内に位置している。また、鉄筋４の他端側の先端４２がスラブ３の他端面３４を挟んで鉄筋４の一端側の先端４１とは反対側に位置するように、鉄筋４の他端側がスラブ３の他端面３４から突出している。また、スラブ３の他端面３４から突出する鉄筋４の長さＬ１は、スリット部３５の開口の短手方向の長さＬ２よりも短い。そして、このような鉄筋４はスラブ３の内部に複数配筋されている。これら複数の鉄筋４は、長手方向において互いに等間隔となるように配筋されている。
【００２７】
このような本発明の一実施形態に係るデッキプレートスラブ１によれば、スラブ３はデッキプレート２の一面２ａに面して設けられ、鉄筋４はスラブの内部におけるデッキプレート２の一面２ａに面する下面３１と反対側の面である上面３２側に配筋される。つまり、デッキプレート２はデッキプレートスラブ１におけるスラブ３を下側に引っ張るように湾曲させようとする曲げモーメントに対して対抗する。鉄筋４はデッキプレートスラブ１におけるスラブ３を上側に引っ張るように湾曲させようとする曲げモーメントに対して対抗する。そして、スラブ３にはスラブ３の上面３２、及びスラブ３の一端面３３に開口を有するスリット部３５が形成されている。そして、鉄筋４は鉄筋４の一端側がスリット部３５内に位置し、鉄筋４の他端側がスラブの他端面３４から突出するように、スラブ３の内部に配筋される。
【００２８】
このため、このようなデッキプレートスラブ１を複数（後述する準備ステップＳ１で準備する第１デッキプレートスラブ１００および第２デッキプレートスラブ２００、図４Ｂ参照）準備して互いに接合させる際に、第１デッキプレートスラブ１００のスリット部１３５（３５）に、第２デッキプレートスラブ２００の他端面２３４（３４）から突出する鉄筋２０４（４）を落とし込むことができる。また、デッキプレート１０２（２）、２０２（２）を用いているため、第２デッキプレートスラブ２００のデッキプレート２０２が第１デッキプレートスラブ１００に干渉してしまう虞はない。このように、複数のデッキプレートスラブ１を互いにスムーズに接合させることができる。
【００２９】
図２は、本発明の一実施形態に係るデッキプレートの正面図である。
【００３０】
図２に示すように、幾つかの実施形態では、デッキプレート２は本体部２１と、デッキプレートスラブ１の一端側に位置する本体部２１の一端側から突出する係合部２２と、本体部２１の他端側から突出し、係合部２２に係合可能に構成される被係合部２３とを含む。
【００３１】
図２に示した実施形態では、本体部２１は、山頂部２１Ａ、谷底部２１Ｂ、及び傾斜部２１Ｃを有する。山頂部２１Ａと谷底部２１Ｂとは、本体部２１における互いに平行な部分である。また、山頂部２１Ａと谷底部２１Ｂとは、デッキプレート２に面してスラブ３を設けた際に、スラブ３の上面３２と略平行な面を有する。そして、このような山頂部２１Ａは、デッキプレート２に面してスラブ３を設けた際に、この谷底部２１Ｂよりスラブ３の上面３２に近い。傾斜部２１Ｃは、山頂部２１Ａの一端側の先端と谷底部２１Ｂの他端側の先端とを接続する傾斜部２１Ｃ１（２１Ｃ）、及び山頂部２１Ａの他端側の先端と谷底部２１Ｂの一端側の先端とを接続する傾斜部２１Ｃ２（２１Ｃ）を有する。尚、図２に示した実施形態では、山頂部２１Ａにはスラブ３の上面３２とは反対側に凹んでいる凹部２６が形成されている。また、傾斜部２１Ｃには谷底部２１Ｂに近い位置に、スラブ３の上面３２側に突出している凸部２８が形成されている。
【００３２】
図１Ａ、図１Ｂ及び図２に示した実施形態では、係合部２２は、本体部２１の一端２４から所定の長さＬ３の分だけ突出している。この本体部２１の一端２４は、短手方向一方側（デッキプレートスラブ１の一端側）に位置し、且つ本体部２１の谷底部２１Ｂに位置している。また、図１Ａ及び図１Ｂに示すように、この係合部２２にはスラブ３が設けられていない。つまり、係合部２２は、スラブ３よりも短手方向一方側に位置している。
【００３３】
図１Ａ及び図２に示した実施形態では、被係合部２３は、本体部２１の他端２５から所定の長さＬ４の分だけ突出している。この本体部２１の他端２５は、短手方向他方側（デッキプレートスラブ１の他端側）に位置し、且つ本体部２１の谷底部２１Ｂに位置している。また、図１Ａに示すように、この被係合部２３にはスラブ３が設けられている。つまり、被係合部２３はスラブ３の他端面３４よりも短手方向一方側に位置している（デッキプレートスラブ１を平面視（図１Ｂ）した際に、被係合部２３を視認することができない）。幾つかの実施形態では、第１デッキプレートスラブ１００と第２デッキプレートスラブ２００とを互いに接合させたときに、第１デッキプレートスラブ１００のスラブ１０３の一端面１３３（３３）と第２デッキプレートスラブ２００のスラブ２０３の他端面２３４（３４）とを当接させるように、係合部２２の長さＬ３と被係合部２３の長さＬ４とが決められる。
【００３４】
上述したように、係合部２２と被係合部２３とは係合可能に構成されている。図１Ａ及び図２に示した実施形態では、係合部２２は谷底部２１Ｂ側から山頂部２１Ａ側（スラブ３が設けられる側）に突出する突出部２２Ａを有する。そして、被係合部２３は、この突出部２２Ａを有する係合部２２の外形に対応するように凹んでいる陥没部２３Ａを有する。尚、被係合部２３が谷底部２１Ｂ側から山頂部２１Ａ側に突出する突出部（不図示）を有し、係合部２２がこの突出部２２Ａを有する被係合部２３の外形に対応するように凹んでいる陥没部（不図示）を有してもよい。
【００３５】
このような構成によれば、デッキプレートスラブ１を複数（後述する準備ステップＳ１で準備する第１デッキプレートスラブ１００および第２デッキプレートスラブ２００、図４Ｂ参照）準備して互いに接合させると、第２デッキプレートスラブ２００のデッキプレート２０２の被係合部２２３が第１デッキプレートスラブ１００のデッキプレート１０２の係合部１２２によって係合され、第１デッキプレートスラブ１００のデッキプレート１０２と第２デッキプレートスラブ２００のデッキプレート２０２とを互いにつなぎ合わせることができる。
【００３６】
幾つかの実施形態では、図１Ａ、及び図１Ｂに示すように、デッキプレートスラブ１は、スラブ３の内部における上面３２側に、鉄筋４と直交するように配筋される直交鉄筋７をさらに備える。そして、直交鉄筋７の少なくとも１つは、スリット部３５を通る。
【００３７】
図１Ａ、及び図１Ｂに示した実施形態では、直交鉄筋７は、スラブ３の内部における上面３２側に、鉄筋４と直交するように複数配筋されている。これら複数の直交鉄筋７は、短手方向において、互いに等間隔となるように配筋されている。また、これら複数の直交鉄筋７は、鉄筋４よりも下方となるように配筋されている。また、これら複数の直交鉄筋７のうち２つの直交鉄筋７がスリット部３５を通っている。
【００３８】
このような構成によれば、デッキプレートスラブ１を複数（後述する準備ステップＳ１で準備する第１デッキプレートスラブ１００および第２デッキプレートスラブ２００、図４Ｂ参照）準備して互いに接合させると、第１デッキプレートスラブ１００のスリット部１３５において、第１デッキプレートスラブ１００の鉄筋１０４、第１デッキプレートスラブ１００のスリット部１３５を通る少なくとも１つの直交鉄筋１０７、及び第２デッキプレートスラブ２００の鉄筋２０４を互いに固定させることができる。このように、複数のデッキプレートスラブ１を互いに接合させた部分（第１デッキプレートスラブ１００のスリット部１３５）には、直交鉄筋（配力筋）を配筋することができるので、接合部分の強度を高めることができる。また、鉄筋１０４が延在する方向に沿って均等の間隔をあけて直交鉄筋１０７を配筋することで、接合部分の強度をより高めることができる。
【００３９】
ここまで、スラブ３には、スラブ３の上面３２、及び短手方向一方側に位置する一端面３３に開口を有するスリット部３５が形成される場合について説明した。しかし、図１Ｂに示すように、スラブ３には、スラブの上面３２、及び長手方向一方側に位置する一端面３７に開口を有するスリット部３９が形成されていてもよい。このような場合、上述した直交鉄筋７を鉄筋として用いてもよいし、上述した鉄筋４を直交鉄筋として用いてもよい。つまり、直交鉄筋７は、直交鉄筋７の一端側がスリット部３９内に位置し、直交鉄筋７の他端側がスラブ３の他端面３８（長手方向他方側に位置する）から突出するように、スラブ３の内部に配筋される。また、鉄筋４の少なくとも１つはスリット部３９を通る。
【００４０】
図３は、本発明の一実施形態に係るデッキプレートスラブの接合方法のフローチャートである。図４Ａは、本発明の一実施形態に係る準備ステップで準備するデッキプレートスラブを示す図である。図４Ｂは、本発明の一実施形態に係る降下ステップを説明するための説明図である。図４Ｃは、本発明の一実施形態に係る充填ステップを説明するための説明図である。尚、図４Ｂ及び図４Ｃには、図４ＡのＡ−Ａ断面（第１デッキプレートスラブ１００の断面）、及び図４ＡのＢ−Ｂ断面（第２デッキプレートスラブ２００の断面）が示されている。
【００４１】
幾つかの実施形態では、図３に示すように、デッキプレートスラブの接合方法は、準備ステップＳ１と、降下ステップＳ２と、充填ステップＳ３とを備える。
【００４２】
準備ステップＳ１は、図４Ａに示すように、第１デッキプレートスラブ１００（１）および第２デッキプレートスラブ２００（１）を含む複数のデッキプレートスラブ１を準備する。
【００４３】
降下ステップＳ２は、図４Ｂに示すように、第１デッキプレートスラブ１００のスリット部１３５の内部において、第１デッキプレートスラブ１００の鉄筋１０４と第２デッキプレートスラブ２００の鉄筋２０４とが部分的に重なり合うように、第１デッキプレートスラブ１００の上方から第１デッキプレートスラブ１００に向かって第２デッキプレートスラブ２００を降下させる。
【００４４】
図４Ｂに示した実施形態では、短手方向において、第２デッキプレートスラブ２００の鉄筋２０４の他端２４２が第１デッキプレートスラブ１００の鉄筋１０４の一端１４１より第１デッキプレートスラブ１００の鉄筋１０４の他端１４１に近くなるように、第１デッキプレートスラブ１００の鉄筋１０４と第２デッキプレートスラブ２００の鉄筋２０４とを部分的に重なり合わせている。つまり、後述する充填ステップＳ３によって、第１デッキプレートスラブ１００のスリット部１３５に充填材６０を充填すると、第１デッキプレートスラブ１００の鉄筋１０４の一端側と第２デッキプレートスラブ２００の鉄筋２０４の他端側とが、いわゆる重ね継手によってつなぎ合わされる。尚、第２デッキプレートスラブ２００の鉄筋２０４と第１デッキプレートスラブ１００の鉄筋１０４とは、上下方向に重なり合ってもよいし、上下方向と垂直な方向に重なり合ってもよい。
【００４５】
充填ステップＳ３は、図４Ｃに示すように、降下ステップＳ２の後に、第１デッキプレートスラブ１００のスリット部１３５の内部に充填材６０を充填する。充填材６０には、例えばコンクリート、モルタル、グラウトやエポキシが用いられる。
【００４６】
このような方法によれば、第１デッキプレートスラブ１００のスリット部１３５の内部において、第１デッキプレートスラブ１００の鉄筋１０４と第２デッキプレートスラブ２００の鉄筋２０４とが部分的に重なり合うように、第１デッキプレートスラブ１００の上方から第１デッキプレートスラブ１００に向かって第２デッキプレートスラブ２００を降下させる。このため、従来の床部材の接合方法と比較して、第１デッキプレートスラブ１００と第２デッキプレートスラブ２００とを互いに接合させる際に第２デッキプレートスラブ２００を横方向に移動させない。よって、第１デッキプレートスラブ１００と第２デッキプレートスラブ２００とを互いにスムーズに接合させることができる。
【００４７】
幾つかの実施形態では、図４Ｂに示すように、降下ステップＳ２によって第１デッキプレートスラブ１００の上方から第１デッキプレートスラブ１００に向かって第２デッキプレートスラブ２００を降下させた場合に、第２デッキプレートスラブ２００の被係合部２２３（２３）は第１デッキプレートスラブ１００の係合部１２２（２２）に係合されるように構成される。
【００４８】
このような方法によれば、降下ステップＳ２を実行すると、第２デッキプレートスラブ２００のデッキプレート２０２の被係合部２２３が第１デッキプレートスラブ１００のデッキプレート１０２の係合部１２２によって係合され、第１デッキプレートスラブ１００のデッキプレート１０２と第２デッキプレートスラブ２００のデッキプレート２０２とを互いにつなぎ合わせることができる。
【００４９】
また、このような方法によれば、第１デッキプレートスラブ１００のデッキプレート１０２と第２デッキプレートスラブ２００のデッキプレート２０２とを互いにつなぎ合わせるだけでなく、第１デッキプレートスラブ１００の鉄筋１０４と第２デッキプレートスラブ２００の鉄筋２０４とを互いにつなぎ合わせることができる。
【００５０】
図５は、本発明の一実施形態に係るＰＣ床の設置方法のフローチャートである。図６は、本発明の一実施形態に係るＰＣ床設置ステップを説明するための説明図である。
【００５１】
図５に示すように、ＰＣ床の設置方法は、ＰＣ床形成ステップＳ１０１と、ＰＣ床設置ステップＳ１０２とを備える。ＰＣ床形成ステップＳ１０１は、上述したデッキプレートスラブの接合方法を実行して複数のデッキプレートスラブ１を互いに接合させることでＰＣ床５０を形成する。ＰＣ床設置ステップＳ１０２は、図６に示すように、ＰＣ床形成ステップＳ１０１で形成されたＰＣ床５０を梁７０Ａに設置する。
【００５２】
図６に示した実施形態では、ＰＣ床形成ステップＳ１０１によって、ＰＣ床５０が形成されている。このＰＣ床５０は、複数のデッキプレートスラブ１００（１）、２００（１）、３００（１）、４００（１）を含む。そして、デッキプレートスラブ１００には、短手方向（配力筋方向）一方側にデッキプレートスラブ２００が接合され、長手方向（主筋方向）一方側にはデッキプレートスラブ３００が接合されている。また、デッキプレートスラブ２００には、短手方向一方側にデッキプレートスラブ４００が接合されている。また、デッキプレートスラブ３００には、長手方向一方側にデッキプレートスラブ４００が接合されている。
【００５３】
図６に示した実施形態では、ＰＣ床設置ステップＳ１０２は、デッキプレートスラブ１００、２００の直交鉄筋１０７、２０７を介して、ＰＣ床５０が梁７０Ａに支持されるように、ＰＣ床５０を梁７０Ａに設置する。また、梁７０Ｂは、デッキプレートスラブ１００とデッキプレートスラブ３００とを接合している接合領域Ｒ１、及びデッキプレートスラブ２００とデッキプレートスラブ４００とを接合している接合領域Ｒ２を支持可能な位置に配置されている。また、梁７０Ｃは、梁７０Ｂよりも長手方向一方側に配置され、ＰＣ床５０を長手方向一方側から支持している。
【００５４】
幾つかの実施形態では、ＰＣ床５０と梁７０Ａとはスタッドボルト７２によって互いに固定される。図６に示した実施形態では、複数のスタッドボルト７２によってＰＣ床５０と梁７０Ａとが互いに固定されている。これら複数のスタッドボルト７２は、短手方向において互いに間隔をあけて配置されており、図示した実施形態では互いに等間隔をあけて配置されている。同様に、ＰＣ床５０と梁７０Ｂとが複数のスタッドボルト７２によって互いに固定されている。また同様に、ＰＣ床５０と梁７０Ｃとが複数のスタッドボルト７２によって互いに固定されている。
【００５５】
以上、本発明の一実施形態にかかるデッキプレートスラブ、及びデッキプレートスラブの接合方法について説明したが、本発明は上記の形態に限定されるものではなく、本発明の目的を逸脱しない範囲での種々の変更が可能である。
【００５６】
図７は、本発明の一実施形態に係るデッキプレートスラブの構成を示す構成図である。
【００５７】
例えば、図７に示すように、幾つかの実施形態では、スラブ３の一端面３３（１３３、２３３）は、鉄筋４より下方側において、スラブ３の上下方向に対して傾斜する傾斜面３３ａを含む。そして、スラブ３の他端面３４は、この傾斜面３３ａと互いに平行となるように構成される。このような構成によれば、図７に示すように、第１デッキプレートスラブ１００の傾斜面１３３ａ（３３ａ）と第２デッキプレートスラブ２００の他端面２３４（３４）とが互いに平行となるため、第１デッキプレートスラブ１００と第２デッキプレートスラブ２００とをスムーズに接続させることができる。
【符号の説明】
【００５８】
１  デッキプレートスラブ
２  デッキプレート
３  スラブ
４  鉄筋
７  直交鉄筋
２１  本体部
２１Ａ  山頂部
２１Ｂ  谷底部
２１Ｃ  傾斜部
２２  係合部
２２Ａ  突出部
２３  被係合部
２３Ａ  陥没部
２６  凹部
２８  凸部
３１  下面
３２  上面
３３  一端面
３４  他端面
３５  スリット部
３６  コンクリート
４１  先端
５０  床
６０  充填材
７０Ａ  梁
７２  スタッドボルト
１００  第１デッキプレートスラブ
２００  第２デッキプレートスラブ
Ｒ１  接合領域
Ｒ２  接合
Ｓ１  準備ステップ
Ｓ２  降下ステップ
Ｓ３  充填ステップ
Ｓ１０１  床形成ステップ
Ｓ１０２  床設置ステップ
【図１Ａ】
2019108770.tif 000003
【図１Ｂ】
2019108770.tif 000004
【図２】
2019108770.tif 000005
【図３】
2019108770.tif 000006
【図４Ａ】
2019108770.tif 000007
【図４Ｂ】
2019108770.tif 000008
【図４Ｃ】
2019108770.tif 000009
【図５】
2019108770.tif 000010
【図６】
2019108770.tif 000011
【図７】
2019108770.tif 000012